(57)【要約】  本発明は、ＯＮＵの波長を再構成するための方法および装置を提供する。具体的には、ＯＬＴは、Ｄｅａｃｔｉｖａｔｅ＿ＯＮＵ−ＩＤメッセージをＯＮＵに送信し、Ｄｅａｃｔｉｖａｔｅ＿ＯＮＵ−ＩＤメッセージは、再構成フラグ、ＯＮＵに割り当てられた新しい受信波長、およびＯＮＵに割り当てられた新しい送信波長を含む。ＯＬＴからのＤｅａｃｔｉｖａｔｅ＿ＯＮＵ−ＩＤメッセージを受信した後、ＯＮＵは、現在の波長チャネルに関連するＴＣ層パラメータを破棄し、ＯＮＵの受信波長および送信波長が再構成されるよう要求されていることを、Ｄｅａｃｔｉｖａｔｅ＿ＯＮＵ−ＩＤメッセージに含まれる再構成フラグが示しているかどうかを決定する。そうならば、ＯＮＵは、元の受信波長および元の送信波長を、Ｄｅａｃｔｉｖａｔｅ＿ＯＮＵ−ＩＤメッセージに含まれる新しい受信波長および新しい送信波長と取り替え、そして初期状態に入り、そうでなければ、ＯＮＵは初期状態に直接入る。
2016523043.tif 000002
【特許請求の範囲】
【請求項１】
光ネットワークユニット（ＯＮＵ）においてＯＮＵの波長を再構成する方法であって、
ａ．光回線終端装置（ＯＬＴ）からの再構成メッセージを受信するステップであり、再構成メッセージが、ＯＮＵに割り当てられた新しい受信波長および新しい送信波長を含む、受信するステップと、
ｂ．ＯＮＵの受信器および送信器が新しい受信波長および新しい送信波長で動作するように、現在の波長チャネルに関連するＴＣ層パラメータを破棄し、ＯＮＵの元の受信波長および元の送信波長を、再構成メッセージに含まれる新しい受信波長および新しい送信波長と取り替えるステップと、
ｃ．アクティブ化プロセスにおいて複数の標準手順を順序正しく実行するステップと
を含む、方法。
【請求項２】
再構成メッセージが、新しい波長チャネルで使用されるＯＮＵの新しいＯＮＵ−ＩＤをさらに含み、ステップｂが、ＯＮＵの元のＯＮＵ−ＩＤを、再構成メッセージに含まれる新しいＯＮＵ−ＩＤと取り替えるステップをさらに含み、
新しいＯＮＵ−ＩＤの取得に関連するステップの実行が、ステップｃにおいて省略される、請求項１に記載の方法。
【請求項３】
再構成メッセージが、新しい波長チャネルで使用されるＯＮＵの新しい等化遅延をさらに含み、ステップｂが、ＯＮＵの元の等化遅延を、再構成メッセージに含まれる新しい等化遅延と取り替えるステップをさらに含み、
新しい等化遅延の取得に関連するステップおよびＯＮＵの新しい登録のステップの実行が、ステップｃにおいて省略される、請求項１または２に記載の方法。
【請求項４】
再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージが、再構成フラグをさらに含み、ステップｂが、
ＯＮＵの受信波長および送信波長が再構成されるように要求されていることを、Ｄｅａｃｔｉｖａｔｅ＿ＯＮＵ−ＩＤメッセージに含まれる再構成フラグが示しているかどうかを決定するステップと、
そうならば、ＯＮＵの元の受信波長および元の送信波長を、Ｄｅａｃｔｉｖａｔｅ＿ＯＮＵ−ＩＤメッセージに含まれる新しい受信波長および新しい送信波長と取り替え、そして初期状態に入るステップと、
そうでなければ、初期状態に直接入るステップと
を含む、請求項１に記載の方法。
【請求項５】
光回線終端装置（ＯＬＴ）において、光ネットワークユニット（ＯＮＵ）の波長を再構成する方法であって、
−  再構成メッセージをＯＮＵに送信するステップであり、再構成メッセージが、ＯＮＵに割り当てられた新しい受信波長および新しい送信波長を含む、送信するステップ
を含む、方法。
【請求項６】
方法が、
−  新しい波長チャネルで使用されるＯＮＵの新しいＯＮＵ−ＩＤおよび／または新しい等化遅延を割り当て、ＯＮＵの再構成されるべき波長チャネルに対応するＸＧ−ＰＯＮシステムにＯＮＵを登録するステップ
をさらに含み、
再構成メッセージが、新しい波長チャネルで使用されるＯＮＵの新しいＯＮＵ−ＩＤおよび／または新しい等化遅延をさらに含む、請求項５に記載の方法。
【請求項７】
再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージは、ＯＮＵの受信波長および送信波長が再構成されるように要求されているかどうか示すための再構成フラグをさらに含む、請求項５または６に記載の方法。
【請求項８】
光ネットワークユニット（ＯＮＵ）においてＯＮＵの波長を再構成するための装置であって、
光回線終端装置（ＯＬＴ）からの再構成メッセージを受信するように構成された受信ユニットであり、再構成メッセージが、ＯＮＵに割り当てられた新しい受信波長および新しい送信波長を含む、受信ユニットと、
ＯＮＵの受信器および送信器が、新しい受信波長および新しい送信波長で動作するように、現在の波長チャネルに関連するＴＣ層パラメータを破棄し、ＯＮＵの元の受信波長および元の送信波長を、再構成メッセージに含まれる新しい受信波長および新しい送信波長と取り替えるように構成された再構成ユニットと、
アクティブ化プロセスにおいて複数の標準手順を順序正しく実行するように構成された実行ユニットと
を備える、装置。
【請求項９】
再構成メッセージが、新しい波長チャネルで使用されるＯＮＵの新しいＯＮＵ−ＩＤをさらに含み、再構成ユニットが、ＯＮＵの元のＯＮＵ−ＩＤを、再構成メッセージに含まれる新しいＯＮＵ−ＩＤと取り替えるようにさらに構成され、
新しいＯＮＵ−ＩＤの取得に関連するステップの実行が、実行ユニットによって省略される、請求項８に記載の装置。
【請求項１０】
再構成メッセージが、新しい波長チャネルで使用されるＯＮＵの新しい等化遅延をさらに含み、再構成ユニットが、ＯＮＵの元の等化遅延を、再構成メッセージに含まれる新しい等化遅延と取り替えるようにさらに構成され、
新しい等化遅延の取得に関連するステップおよびＯＮＵの新しい登録のステップの実行が、実行ユニットによって省略される、請求項８または９に記載の装置。
【請求項１１】
再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージが、再構成フラグをさらに含み、再構成ユニットは、
ＯＮＵの受信波長および送信波長が再構成されるように要求されていることを、Ｄｅａｃｔｉｖａｔｅ＿ＯＮＵ−ＩＤメッセージに含まれる再構成フラグが示しているかどうかを決定し、
そうならば、ＯＮＵの元の受信波長および元の送信波長を、Ｄｅａｃｔｉｖａｔｅ＿ＯＮＵ−ＩＤメッセージに含まれる新しい受信波長および新しい送信波長と取り替え、そして初期状態に入り、
そうでなければ、初期状態に直接入る
ようにさらに構成される、請求項８に記載の装置。
【請求項１２】
光回線終端装置（ＯＬＴ）において、光ネットワークユニット（ＯＮＵ）の波長を再構成するための装置であって、
再構成メッセージをＯＮＵに送信するように構成された送信ユニットであり、再構成メッセージが、ＯＮＵに割り当てられた新しい受信波長および新しい送信波長を含む、送信ユニット
を備える、装置。
【請求項１３】
装置が、
新しい波長チャネルで使用されるＯＮＵの新しいＯＮＵ−ＩＤおよび／または新しい等化遅延を割り当て、ＯＮＵの再構成されるべき波長チャネルに対応するＸＧ−ＰＯＮシステムにＯＮＵを登録するように構成された事前割当てユニットを
さらに含み、
再構成メッセージが、新しい波長チャネルで使用されるＯＮＵの新しいＯＮＵ−ＩＤおよび／または新しい等化遅延をさらに含む、請求項１２に記載の装置。
【請求項１４】
再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージは、ＯＮＵの受信波長および送信波長が再構成されるように要求されているかどうか示すための再構成フラグをさらに含む、請求項１２または１３に記載の装置。
【発明の詳細な説明】
【技術分野】
【０００１】
本開示は、光通信技術に関し、詳細には、光ネットワークユニット（ｏｐｔｉｃａｌ  ｎｅｔｗｏｒｋ  ｕｎｉｔ：ＯＮＵ）の波長を再構成するための方法および装置に関する。
【背景技術】
【０００２】
一方では、ＴＷＤＭ−ＰＯＮ（時間波長分割多重受動光ネットワーク）が、ＮＧ−ＰＯＮ２（次世代受動光ネットワーク）の主要な解決策と見なされており、４つのＸＧ−ＰＯＮが積み重ねられ、ＯＮＵ送信器／受信器は、４つのアップストリーム／ダウンストリーム波長のどれでも同調することができる。波長内で、ＴＷＤＭ−ＰＯＮは、ＸＧ−ＰＯＮダウンストリーム多重化およびアップストリームアクセス技法、タイムスロット粒度、マルチキャスト機能、ならびに帯域幅割当て機構を再使用する。
【０００３】
他方では、アクセスインフラストラクチャネットワークをサードパーティに開放することが、最新のトピックおよび傾向である。例えば、ＴＷＤＭ−ＰＯＮオペレータ（すなわち、Ａ−ＩｎＰ）は、２つのサードパーティ、すなわち、ＶＮＯ（バーチャルネットワークオペレータ）ＡおよびＶＮＯ  ＢにＴＷＤＭ−ＰＯＮを開放する。すなわち、Ａ−ＩｎＰは、２つのＶＮＯのために２つのバーチャルＰＯＮを構築する。異なるＯＮＵが、異なるＶＮＯに対してオンデマンドで構成されることになる。
【０００４】
通常動作状態に入るために、ＯＮＵは、最初に、パラメータ（ＯＮＵ−ＩＤ、等化遅延、プロファイル情報など）を取得するためにＯＮＵアクティブ化プロセスを実行しなければならない。ＸＧ−ＰＯＮでは、ひとたびネットワークがレンジングされ、すべてのＯＮＵが正しい等化遅延で動作していれば、すべてのアップストリームのバーストは、すべてのＯＮＵの間で共に同期されることになる。
【０００５】
ＸＧ−ＰＯＮでは、ＯＮＵの受信／送信波長を変える必要がない。ＴＷＤＭ−ＰＯＮでは、ＯＮＵの受信／送信波長を再構成する必要がある。明らかに、ＴＷＤＭ−ＰＯＮが実際のアクセスネットワークに配備されるとき、時には、オペレータのいくつかの考慮事項のために、あるアクティブＯＮＵの動作波長を他のものに変えるという要求がある。例えば、
−  少数のアクティブＯＮＵしか存在しない場合、パワーを節約するために、アクティブＯＮＵが同じ受信波長および同じ送信波長で動作するように要請することがある。
−  ＰＯＮのブロードキャストを有効に利用するために、マルチキャスト／ブロードキャスト情報を考慮して、同じマルチキャストアプリケーションを受信するすべてのＯＮＵの波長を同じ受信波長に変えることができる。それにより、ＴＷＤＭ−ＰＯＮはより効率的となり得る。
−  ＶＮＯ  ＡのエンドユーザはＡ−ＩｎＰのネットワークに接続されており、エンドユーザは、バーチャルアクセスネットワークが依然として同じＡ−ＩｎＰネットワーク上にある他のＶＮＯ（例えば、ＶＮＯ  Ｂ）に変わるように望んでいる。Ａ−ＩｎＰは、ＶＮＯ  Ｂで使用されている他の正しい波長にアクティブＯＮＵを変える能力を有していなければならない。
−  あまりにも多くのアクティブＯＮＵが同じ受信／送信波長で動作している場合、負荷バランスをとるために、いくつかのＯＮＵは、軽いトラヒック負荷の他の波長に調節されなければならない。
【０００６】
ＴＷＤＭ−ＰＯＮシステムの異なるＸＧ−ＰＯＮは、それ自体のバーストプロファイル情報、異なるＯＮＵ−ＩＤスペース、デフォルトおよび明示的Ａｌｌｏｃ−ＩＤ割当て方式を有することができ、したがって、たとえ同じ物理的ＯＮＵがＴＷＤＭ−ＰＯＮの異なるＸＧ−ＰＯＮに接続されていると言っても、それは、異なる等化遅延、ＯＮＵ−ＩＤ、デフォルトＡｌｌｏｃ−ＩＤ、および異なるＸＧＥＭ  ＰＯＲＴ−ＩＤ、バーストプロファイルを有していることになる。アクティブＯＮＵを他の波長で動作させるには、ＯＮＵは、現在の波長を速く停止され、アクティブ化プロセスを介して目標波長情報およびさらに目標波長の上述のパラメータを取得しなければならない。
【０００７】
１つの既存の手法では、新しいメッセージλ−ＴＵＮＥが定義され、それにより、新しい波長情報がＯＮＵに伝えられる。この手法には以下の欠点がある。第１に、非アクティブ化プロセスがλ−ＴＵＮＥメッセージの後に実行され、２つの後続の交替が必要とされる、すなわち、λ−ＴＵＮＥは非アクティブ化プロセス全体（ｄｅａｃｔｉｖａｔｉｏｎ  ｐｒｏｃｅｓｓ）およびアクティブ化プロセス全体を必要とする。ＯＮＵは、λ−ＴＵＮＥメッセージを記録し、後続の再アクティブ化プロセス（ｒｅａｃｔｉｖａｔｉｏｎ  ｐｒｏｃｅｓｓ）においてλ−ＴＵＮＥメッセージの情報を使用する必要がある。第２に、新しく加わるＯＮＵのシリアル番号取得およびレンジングの間、規則的なアップストリームバーストとの衝突を避けるために、クワイエットウインドウ（ｑｕｉｅｔ  ｗｉｎｄｏｗ）が必要とされる。第３に、新しいメッセージタイプＩＤが必要とされる。
【発明の概要】
【課題を解決するための手段】
【０００８】
上記の問題を解決するために、本発明は、ＯＮＵ再アクティブ化プロセスを簡単にすることができる、ＴＷＤＭ−ＰＯＮシステムにおけるアクティブＯＮＵの受信／送信波長を再構成するための解決策を提案する。
【０００９】
本発明の技術的解決策を達成するために、１つの実施形態では、現在の標準Ｄｅａｃｔｉｖａｔｅ＿ＯＮＵ−ＩＤ  ＰＬＯＡＭ（物理層運用／管理および保守）が、再構成フラグフィールド、受信波長フィールド、および送信波長フィールドをさらに含むように拡張される。ＯＮＵの送信／受信波長が再構成されるように要求されているかどうかを、再構成フラグフィールドが示すことができる場合、受信波長フィールドは、ＯＮＵの受信器によって使用されるべき新しい受信波長を含み、送信波長フィールドは、ＯＮＵの送信器によって使用されるべき新しい送信波長を含む。
【００１０】
別の実施形態では、再構成に専用である新しいメッセージが定義され得る。新しいメッセージは、ＯＮＵに割り当てられた新しい受信波長および新しい送信波長を含む。
【００１１】
上述の発想に基づいて、本発明の一実施形態では、光ネットワークユニット（ＯＮＵ）においてＯＮＵの波長を再構成する方法が提案され、この方法は、光回線終端装置（ｏｐｔｉｃａｌ  ｌｉｎｅ  ｔｅｒｍｉｎａｌ：ＯＬＴ）からの再構成メッセージを受信するステップであり、再構成メッセージが、ＯＮＵに割り当てられた新しい受信波長および新しい送信波長を含む、受信するステップと、ＯＮＵの受信器および送信器が、新しい受信波長および新しい送信波長で動作するように、現在の波長チャネルに関連するＴＣ層パラメータを破棄し、ＯＮＵの元の受信波長および元の送信波長を、再構成メッセージに含まれる新しい受信波長および新しい送信波長と取り替えるステップと、アクティブ化プロセスにおいて複数の標準手順を順序正しく実行するステップとを含む。
【００１２】
有利には、再構成メッセージが、新しい波長チャネルで使用されるＯＮＵの新しいＯＮＵ−ＩＤをさらに含み、ステップｂは、ＯＮＵの元のＯＮＵ−ＩＤを、再構成メッセージに含まれる新しいＯＮＵ−ＩＤと取り替えるステップをさらに含み、新しいＯＮＵ−ＩＤの取得に関連するステップの実行が、ステップｃにおいて省略される。
【００１３】
有利には、再構成メッセージが、新しい波長チャネルで使用されるＯＮＵの新しい等化遅延をさらに含み、ステップｂが、ＯＮＵの元の等化遅延を、再構成メッセージに含まれる新しい等化遅延と取り替えるステップをさらに含み、新しい等化遅延の取得に関連するステップおよびＯＮＵの新しい登録のステップの実行が、ステップｃにおいて省略される。
【００１４】
有利には、再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージが、再構成フラグをさらに含み、ステップｂが、ＯＮＵの受信波長および送信波長が再構成されるように要求されていることを、Ｄｅａｃｔｉｖａｔｅ＿ＯＮＵ−ＩＤメッセージに含まれる再構成フラグが示しているかどうかを決定するステップと、そうならば、ＯＮＵの元の受信波長および元の送信波長を、Ｄｅａｃｔｉｖａｔｅ＿ＯＮＵ−ＩＤメッセージに含まれる新しい受信波長および新しい送信波長と取り替え、そして初期状態に入るステップと、そうでなければ、初期状態に直接入るステップとを含む。
【００１５】
その上、別の実施形態では、光回線終端装置（ＯＬＴ）において、光ネットワークユニット（ＯＮＵ）の波長を再構成する方法が提案され、この方法は、再構成メッセージをＯＮＵに送信するステップであり、再構成メッセージが、ＯＮＵに割り当てられた新しい受信波長および新しい送信波長を含む、送信するステップを含む。
【００１６】
有利には、この方法は、新しい波長チャネルで使用されるＯＮＵの新しいＯＮＵ−ＩＤおよび／または新しい等化遅延を割り当て、ＯＮＵの再構成されるべき波長チャネルに対応するＸＧ−ＰＯＮシステムにＯＮＵを登録するステップをさらに含み、再構成メッセージが、新しい波長チャネルで使用されるＯＮＵの新しいＯＮＵ−ＩＤおよび／または新しい等化遅延をさらに含む。
【００１７】
有利には、再構成メッセージが、Ｄｅａｃｔｉｖａｔｅ＿ＯＮＵ−ＩＤメッセージであり、Ｄｅａｃｔｉｖａｔｅ＿ＯＮＵ−ＩＤメッセージは、ＯＮＵの受信波長および送信波長が再構成されるように要求されているかどうか示すための再構成フラグをさらに含む。
【００１８】
本発明のそれぞれの態様は、本発明の特別な実施形態の以下の説明からより明らかになるであろう。
【００１９】
本発明の前述および他の特徴は、図面を参照して行われる非限定の実施形態の以下の詳細な説明を検討する際により明らかになるであろう。
【図面の簡単な説明】
【００２０】
【図１】本発明の一実施形態によるＯＮＵの波長を再構成する方法の流れ図である。
【発明を実施するための形態】
【００２１】
図面における同一または同様の参照番号は、同一または同様の構成要素を表す。
【００２２】
本発明の実施形態が、一例として現在の標準Ｄｅａｃｔｉｖａｔｅ＿ＯＮＵ−ＩＤ  ＰＬＯＡＭメッセージの拡張を使用して以下で説明される。
【００２３】
ＰＬＯＡＭチャネルは、ＸＧ−ＰＯＮ  ＴＣ層管理機能をサポートする。それは、ダウンストリームＸＧＴＣフレームヘッダのＰＬＯＡＭパーティションと、アップストリームＸＧＴＣバーストヘッダで搬送される４８バイトメッセージの交換に基づく。ＰＬＯＡＭチャネルは、バーストプロファイル通信、ＯＮＵアクティブ化、ＯＮＵ登録、暗号鍵更新交換、保護スイッチングシグナリング、およびパワー管理に関する以下の機能をサポートする。
【００２４】
別の波長で動作するようにアクティブＯＮＵを再構成するために、ＯＮＵは、現在動作している送信波長でアップストリームトラヒックを送信するのを停止されなければならず、したがって、ＯＮＵは、非アクティブ化され、次に、目標波長でアクティブ化されなければならない。
【００２５】
Ｇ．９８７．３に規定されている標準Ｄｅａｃｔｉｖａｔｅ＿ＯＮＵ−ＩＤメッセージは、表１に示すようなダウンストリームＰＬＯＡＭメッセージである。
【００２６】
【表１】
2016523043.tif 000003
【００２７】
標準Ｄｅａｃｔｉｖａｔｅ＿ＯＮＵ−ＩＤメッセージのフォーマットは、表２に示す通りである。
【００２８】
【表２】
2016523043.tif 000004
【００２９】
本発明の技術的解決策の拡張Ｄｅａｃｔｉｖａｔｅ＿ＯＮＵ−ＩＤメッセージは、表３に定義された通りである。
【００３０】
【表３】
2016523043.tif 000005
【００３１】
拡張Ｄｅａｃｔｉｖａｔｅ＿ＯＮＵ−ＩＤメッセージは、ＯＮＵ波長再構成サブ機能を有し、それは、アクティブＯＮＵの波長を変更／再構成するためにＯＬＴによって使用され得る。
【００３２】
拡張Ｄｅａｃｔｉｖａｔｅ＿ＯＮＵ−ＩＤメッセージのフォーマットは、表４に示す通りである。
【００３３】
【表４】
2016523043.tif 000006
【００３４】
表４および表２から分かるように、拡張Ｄｅａｃｔｉｖａｔｅ＿ＯＮＵ−ＩＤメッセージは、再構成−フラグフィールド、受信−波長フィールド、および送信−波長フィールドをさらに含む。
【００３５】
再構成−フラグフィールドが０である場合、受信−波長フィールドおよび送信−波長フィールドは、０に設定しなければならない。今、これは、メッセージが、Ｇ．９８７．３に規定された標準Ｄｅａｃｔｉｖａｔｅ＿ＯＮＵ−ＩＤ  ＰＬＯＡＭメッセージであることを意味する。
【００３６】
再構成−フラグフィールドが１である場合、受信−波長フィールドおよび送信−波長フィールドは、この非アクティブ化されたＯＮＵによって使用されることになる波長情報を含む。
【００３７】
実際の適用では、代替として、「１」は、ＯＮＵが、Ｇ．９８７．３に規定された非アクティブ化プロセスを直接実行することを表すことができ、「０」は、ＯＮＵが、最初に、Ｇ．９８７．３に規定された非アクティブ化プロセスを実行し、次に、このＤｅａｃｔｉｖａｔｅ＿ＯＮＵ−ＩＤメッセージに示された波長で動作するためにＯＮＵアクティブ化プロセスに入ることを表すことができることに留意されたい。
【００３８】
今後、本発明の１つの実施形態によるＯＮＵの波長を再構成する方法が、上述の拡張Ｄｅａｃｔｉｖａｔｅ＿ＯＮＵ−ＩＤメッセージに基づいて詳細に説明される。
【００３９】
最初に、ステップＳ１１において、ＯＬＴはＯＮＵにＤｅａｃｔｉｖａｔｅ＿ＯＮＵ−ＩＤメッセージを送信し、Ｄｅａｃｔｉｖａｔｅ＿ＯＮＵ−ＩＤメッセージには、再構成フラグ（フラグを再構成する）、ＯＮＵに割り当てられた新しい受信波長、およびＯＮＵに割り当てられた新しい送信波長が含まれる。
【００４０】
ＯＬＴからのＤｅａｃｔｉｖａｔｅ＿ＯＮＵ−ＩＤメッセージを受信した後、ステップＳ１２において、ＯＮＵは、ＯＮＵの受信波長および送信波長が再構成されるように要求されていることを、Ｄｅａｃｔｉｖａｔｅ＿ＯＮＵ−ＩＤメッセージに含まれる再構成フラグが示しているかどうかを決定する。
【００４１】
ＯＮＵの受信波長および送信波長が再構成されるように要求されていることを再構成フラグが示していない場合、ＯＮＵは、初期状態に直接入る、すなわち、送信器をオフに切り替える、ＴＣ層構成パラメータを破棄する、などを行う。次に、ＯＮＵは、アクティブ化プロセスに入り、ダウンストリーム送信をリスンする、ＰＳｙｎｃおよびサブフレーム同期を取得する、などを行うが、それらは、先行技術の既存のステップであり、本明細書では繰り返されないことになる。
【００４２】
ＯＮＵの受信波長および送信波長が再構成されるように要求されていることを再構成フラグが示している場合、ＯＮＵは、現在の波長チャネルに関連するＴＣ層パラメータを破棄し、ＯＮＵの元の受信波長および元の送信波長を、Ｄｅａｃｔｉｖａｔｅ＿ＯＮＵ−ＩＤメッセージに含まれる新しい受信波長および新しい送信波長と取り替え、初期状態に行く。次に、ＯＮＵは、アクティブ化プロセスにおいて複数の標準手続を順序正しく実行する。ＯＮＵの元の受信波長および元の送信波長は新しい受信波長および新しい送信波長と取り替えられているので、ＯＮＵは、後で、新しい動作波長で動作することになる。
【００４３】
有利には、Ｄｅａｃｔｉｖａｔｅ＿ＯＮＵ−ＩＤメッセージは、ＯＮＵの他の必須のパラメータ、例えば、新しい波長チャネルで使用されるＯＮＵの新しいＯＮＵ−ＩＤ、新しい波長チャネルで使用されるＯＮＵの新しい等化遅延などを含むようにさらに拡張することができる。
【００４４】
この実施形態では、ＯＬＴは、新しい波長チャネルで使用されるＯＮＵの新しいＯＮＵ−ＩＤおよび／または新しい等化遅延を割り当て、ＯＮＵの再構成されるべき波長チャネルに対応するＸＧ−ＰＯＮシステムにＯＮＵを登録する必要がある。ＯＬＴからのＤｅａｃｔｉｖａｔｅ＿ＯＮＵ−ＩＤメッセージを受信した後、ＯＮＵは、元の受信波長および元の送信波長を新しい受信波長および新しい送信波長に取り替えることに加えて、さらに、元のＯＮＵ−ＩＤを新しいＯＮＵ−ＩＤに、および元の等化遅延を新しい等化遅延に取り替えることができる。
【００４５】
ＯＮＵは、新しい波長チャネルで使用される新しいＯＮＵ−ＩＤおよび新しい等化遅延をＤｅａｃｔｉｖａｔｅ＿ＯＮＵ−ＩＤメッセージを通して取得するので、これらのパラメータの取得に関連し、登録に関連するステップは、後続のＯＮＵアクティブ化プロセスでは省略することができる。すなわち、同期、およびプロファイル情報の取得の後、ＯＮＵは、稼働状態に直接スキップすることになる。その結果として、後続のＯＮＵアクティブ化プロセスは簡単化される。
【００４６】
本発明は、明らかに、前述の例示の実施形態に限定されず、本発明の趣旨または本質から逸脱することなく他の特定の形態で具現され得ることを当業者は理解されよう。それゆえに、実施形態は、ともかく、例示であり、非限定であると解釈されるものとする。特許請求の範囲におけるいかなる参照番号も本発明の範囲を限定すると解釈されないものとする。その上、明らかに、「備えている、含んでいる（ｃｏｍｐｒｉｓｉｎｇ）」という用語は、別の要素またはステップを排除せず、要素に先立つ「１つの（ａ）」または「１つの（ａｎ）」という用語は、この要素の複数を排除しない。装置クレームで述べられる複数の要素は、代替として、ソフトウェアまたはハードウェアの単一の要素として具現することができる。「第１の」、「第２の」などの用語は、名前を指定するように意図されているが、いかなる特定の順序も示唆していない。
【図１】
2016523043.tif 000007
【国際調査報告】
2016523043.tif 000008
2016523043.tif 000009
2016523043.tif 000010